(57)【要約】      （修正有）【課題】簡単な構造でピストンロッドの押出し運動のみならず押込み運動の推移を大きく分化可能とするようなガス・スプリングを提案する。【解決手段】ピストンロッドの端部がシリンダ内で変位可能な作動ピストンに固定され，作動ピストンによりシリンダの内部スペースが，ピストンロッド側の第１作動室と，ピストンロッドから離れた第２作動室とに区分され、何れか一方の作動室は，シリンダ内で変位可能な端末ダンパの制動ピストンにより減衰室と部分室とに区分され，制動ピストンがピストンロッドの押込み運動の最終減衰領域で作動ピストンに接触すると共に減衰室内に変位し，作動ピストンによる制動ピストンの変位に際しての絞り作用が，制動ピストンの作動ピストンに対する接近変位の場合よりも増強される。部分室と第１作動室との間の絞り接続により，ピストンロッドの押込み運動における絞り作用が，ピストンロッドの押出し運動の場合よりも抑制される。【選択図】  図１
2006046660.tif 000002
【特許請求の範囲】
【請求項１】
加圧ガスを充填したシリンダと，シリンダの一端から引き出されたピストンロッドとを具え，シリンダ内に突出するピストンロッドの端部がシリンダ内で変位可能な作動ピストンに固定され，該作動ピストンによりシリンダの内部スペースが，ピストンロッド側の第１作動室と，ピストンロッドから離れた第２作動室とに区分され，何れか一方の作動室が，シリンダ内で変位可能な端末ダンパの制動ピストンにより減衰室と部分室とに区分され，該制動ピストンがピストンロッドの押込み運動の最終減衰領域で作動ピストンに接触すると共に減衰室内に変位し，部分室と減衰室との間の絞り接続により，作動ピストンによる制動ピストンの変位に際しての絞り作用が，制動ピストンの作動ピストンに対する接近変位の場合よりも増強され，部分室と第１作動室との間の絞り接続により，ピストンロッドの押込み運動における絞り作用が，ピストンロッドの押出し運動の場合よりも抑制されるガス・スプリングにおいて，端末位置ダンパが第２作動室（４）内に配置され，前記減衰室（１６）がシリンダ（１）の閉鎖端部に，部分室（１５）が作動ピストン（２，２’）にそれぞれ対向すること，並びに，ピストンロッド（６）の押出し運動における部分室（１５）と第１作動室（３）との間の絞り接続につき，制動ピストン（５，５”，５”’，５””）が作動ピストン（２，２’）に接触すると，制動ピストン（５，５”，５”’，５””）が作動ピストン（２，２’）に接触しない場合に比べて絞り作用が抑制されることを特徴とするガス・スプリング。
【請求項２】
請求項１記載のガス・スプリングにおいて，制動ピストン（５，５”，５”’，５””）には，シリンダ（１）で支持されたばね（１９）が作動ピストン（２，２'）に向けて加圧接触することを特徴とするガス・スプリング。
【請求項３】
請求項１又は２に記載のガス・スプリングにおいて，制動ピストン（５，５”，５”’，５””）が外周面に環状溝（２０）を具え，該環状溝（２０）内に，その底部（２２）に対して軸線方向及び半径方向の遊びを有する制動シールリング（２１）が配置され，該制動シールリング（２１）の外周面がシリンダ（１）の内壁（１０）に対して接触することを特徴とするガス・スプリング。
【請求項４】
請求項３記載のガス・スプリングにおいて，減衰室（１６）に対向する環状溝（２０）の側壁（２４）に，環状溝（２０）と減衰室（１５）とを接続する切欠き（２４）が設けられていることを特徴とするガス・スプリング。
【請求項５】
請求項１〜４の何れか一項に記載のガス・スプリングにおいて，シリンダ（１）の内壁（１０）に，少なくとも最終減衰領域（１７）に沿って延在する少なくとも１本の制動溝（２７）が形成されていることを特徴とするガス・スプリング。
【請求項６】
請求項５記載のガス・スプリングにおいて，制動溝の断面が，長手方向で変化することを特徴とするガス・スプリング。
【請求項７】
請求項１〜６の何れか一項に記載のガス・スプリングにおいて，作動ピストン（２）が，第１作動室（３）と部分室（１５）とを接続するノズル（３４）を具えることを特徴とするガス・スプリング。
【請求項８】
請求項１〜７の何れか一項に記載のガス・スプリングにおいて，減衰室（１６）と部分室（１５）とを接続するバルブが制動ピストン（５″）内に配置され，その係止部材が減衰室（１６）内の圧力により，ばね力に抗して開放位置から閉鎖位置まで移動可能であることを特徴とするガス・スプリング。
【請求項９】
請求項８記載のガス・スプリングにおいて，前記係止部材が，円筒形状のガイド開口（３５）内に変位可能に配置した係止スライダ（３６）で構成され，軸線方向に延在する少なくとも１本の制御溝（３８）がガイド開口（３５）の円筒内壁内に形成されていることを特徴とするガス・スプリング。
【請求項１０】
請求項９記載のガス・スプリングにおいて，前記係止スライダ（３６）が鉢状であり，その円周方向に延在する流入縁部（４０）が制動ピストン（５”）の環状弁座に着座することを特徴とするガス・スプリング。
【請求項１１】
請求項８〜１０の何れか一項に記載のガス・スプリングにおいて，前記係止部材に，軸線方向に貫通するノズル孔が設けられていることを特徴とするガス・スプリング。
【請求項１２】
請求項１〜１１の何れか一項に記載のガス・スプリングにおいて，制動ピストン（５）が，弾性変形可能なバッファ素子（３０）を介してピストン（２）により変位可能であることを特徴とするガス・スプリング。
【請求項１３】
請求項１２記載のガス・スプリングにおいて，弾性バッファ素子（３０）が制動ピストン（５）における鉢状凹所（２９）に配置され，該凹所（２９）の開口が作動ピストン（２）に向けられていることを特徴とするガス・スプリング。
【請求項１４】
請求項１〜１３の何れか一項に記載のガス・スプリングにおいて，最終減衰領域（１７）とピストンロッド側端部との間に延在する少なくとも１本の制動溝（２６）が，シリンダ（１）の内壁（１０）に設けられていることを特徴とするガス・スプリング。
【請求項１５】
請求項１４記載のガス・スプリングにおいて，前記制動溝（２６）の断面が長手方向で変化することを特徴とするガス・スプリング。
【請求項１６】
請求項１〜１５の何れか一項に記載のガス・スプリングにおいて，作動ピストン（２，２’）が外周面でシリンダ（１）の内壁（１０）に当接するシールリング（１１，１１’，１１”）により包囲され，該シールリングは半径方向内側の環状領域でアンダーフロー可能であると共に，２個のストッパ（１２，１３）間で軸線方向遊びに基づいて変位可能であり，制動ピストン（５，５’，５”，５”’，５””）に近い方のストッパ（１３）にシールリング（１１，１１’，１１”）が当接すると，作動ピストン（２，２’）がシリンダ（１）の内壁（１０）に対してシールされることを特徴とするガス・スプリング。
【請求項１７】
請求項１６記載のガス・スプリングにおいて，シールリング（１１，１１’）は，作動ピストン（２）により制動ピストン（５）が軸線方向で接触すると，制動ピストン（５，５”’）に近い方の作動ピストン（２）のストッパ（１３）から離間変位することを特徴とするガス・スプリング。
【請求項１８】
請求項１７記載のガス・スプリングにおいて，制動ピストン（５）は作動ピストン（２）に向けた軸線方向のストッパ（２８）を具え，該ストッパを介してシールリング（１１）が，制動ピストン（５）に近い方の作動ピストン（２）のストッパ（５）から離間変位することを特徴とするガス・スプリング。
【請求項１９】
請求項１７記載のガス・スプリングにおいて，シールリング（１１’）が制動ピストン（５”’）に向けて突出する軸線方向ストッパ（５６）を具え，該ストッパ（５６）は軸線方向で制動ピストン（５”’）に接触可能であることを特徴とするガス・スプリング。
【請求項２０】
請求項１７記載のガス・スプリングにおいて，軸線方向に磁化された第１永久磁石（５７）がシールリング（１１”’）に配置され，該永久磁石（５７）に対して制動ピストン（５”’）に配置した第２永久磁石（５８）が軸線方向で対向配置され，第１永久磁石（５７）及び第２永久磁石（５８）の同一極が互いに対向することを特徴とするガス・スプリング。
【請求項２１】
請求項１６記載のガス・スプリングにおいて，ピストン（２）内に配置したバルブは，ピストン（２）が軸線方向で制動ピストン（５）に接触すると開放し，部分室（１５）を第１作動室（３）と接続することを特徴とするガス・スプリング。
【請求項２２】
請求項２１記載のガス・スプリングにおいて，前記バルブを構成するシートバルブ（４３）の弁体（４５）が，制動ピストン（５）により弁座（４６）から離間変位することを特徴とするガス・スプリング。
【請求項２３】
請求項１６記載のガス・スプリングにおいて，前記作動ピストン（２'）が，ピストンロッド（６）に固定した第１ピストン部分（４７）で構成され，かつ，該ピストン部分（４７）はこれに対して同軸的に変位可能であると共にシールリング（１１）を担持する環状の第２ピストン部分（４８）により包囲され，第１ピストン部分（４７）のシリンダ部分（５１）を遊びをもって包囲する環状シール部材（５２）が，半径方向内側領域で第２ピストン部分（４８）に向けて突出する第１ピストン部分（４７）の環状肩部（５３）に軸線方向で密接可能であると共に，オーバーフロー可能な半径方向外側領域では第１ピストン部分（４７）に向けて突出する第２ピストン部分（４８）の環状肩部（５４）に対して軸線方向で密接可能であり，第２ピストン部分（４８）の環状肩部（５４）は，軸線方向で制動ピストン（５）に接触すると第１ピストン部分（４７）の環状肩部（５３）から離間変位して，部分室（１５）を第１作動室（３）と接続することを特徴とするガス・スプリング。
【発明の詳細な説明】
【技術分野】
【０００１】
本発明は，加圧ガスを充填したシリンダと，シリンダの一端から引き出されたピストンロッドとを具え，シリンダ内に突出するピストンロッドの端部がシリンダ内で変位可能な作動ピストンに固定され，該作動ピストンによりシリンダの内部スペースが，ピストンロッド側の第１作動室と，ピストンロッドから離れた第２作動室とに区分され，何れか一方の作動室が，シリンダ内で変位可能な端末ダンパの制動ピストンにより減衰室と部分室とに区分され，該制動ピストンがピストンロッドの押込み運動の最終減衰領域で作動ピストンに接触すると共に減衰室内に変位し，部分室と減衰室との間の絞り接続により，作動ピストンによる制動ピストンの変位に際しての絞り作用が，制動ピストンの作動ピストンに対する接近変位の場合よりも増強され，部分室と第１作動室との間の絞り接続により，ピストンロッドの押込み運動における絞り作用が，ピストンロッドの押出し運動の場合よりも抑制されるガス・スプリングに関するものである。
【背景技術】
【０００２】
上記構成のガス・スプリングにおいて，ピストンロッドの動作特性を押込み運動時と押出し運動時とで異ならせることは既知である。例えば，本出願人のウェブサイトhttp://www.stabilus.com（非特許文献１）を参照されたい。
【非特許文献１】インターネットウェブサイト  http://www.stabilus.com
【０００３】
この場合，端末減衰領域では，押込み運動時の動作特性と，押出し運動時の動作特性とが種々の態様で重畳される。
【発明の開示】
【発明が解決しようとする課題】
【０００４】
本発明の課題は，ピストンロッドの押出し時のみならず，押込み時にも動作特性を，簡単な構造でより適切に変更可能としたガス・スプリングを提案することにある。
【課題を解決するための手段】
【０００５】
この課題を解決するため，本発明に係るガス・スプリングは，端末位置ダンパが第２作動室内に配置され，減衰室がシリンダの閉鎖端部に，部分室が作動ピストンにそれぞれ対向すること，並びに，ピストンロッドの押出し運動における部分室と第１作動室との間の絞り接続につき，制動ピストンが作動ピストンに接触すると，制動ピストンが作動ピストンに接触しない場合に比べて絞り作用が抑制されることを特徴とする。
【０００６】
本発明によれば，先ず無減衰で始まり，通常の減衰下で続行する押出し運動が実現する。
【０００７】
押込み運動は先ず無減衰として始まり，やがて最終減衰領域では減衰される。
【０００８】
最終減衰領域における押出し運動に際して，制動ピストンを持続的に作動ピストンに接触させるために，シリンダに支持したばねを作動ピストンの方向で制動ピストンに加圧接触させることができる。
【０００９】
制動ピストンの押込み運動及び押出し運動における異なる減衰の推移を実現するために，制動ピストンの半径方向に回周する外周面には半径方向に回周する環状溝を容易に具えることができる。環状溝の底部に対する軸線方向及び半径方向の遊びを有する制動シールリングを前記環状溝に配置する。制動シールリングの外周面はシリンダの内壁に接触する。
【００１０】
制動ピストンが押出し方向に変位する際に大きな貫流断面積を生じるために，減衰室に対向する環状溝の側壁は減衰室を接続する切欠きを有する環状溝を具えるのが好適である。
【００１１】
少なくとも最終減衰領域に亙って延在する１本又は複数本の制動溝をシリンダの内壁に形成することにより，制動ピストンの押込み運動は容易に大きく減衰することができる。
【００１２】
制動溝の有効な流れ断面積は，切欠きの流れ断面積よりも小さい構成とすることができる。
【００１３】
制動溝の断面積を全長に亙って変化させることにより，減衰量の推移は不均等に決定することができる。
【００１４】
減衰の推移及び強度は，押出し減衰と押込み減衰との領域について互いに独立して決定することができる。
【００１５】
作動ピストンは，第１作動室を部分室と接続する１本又は複数本のノズルを具えることができる。
【００１６】
制動ピストンの押込み方向における運動を低速よりも高速でより強く抑制するために，減衰室を部分室に接続するバルブを制動ピストン内に配置するのが好適である。このバルブの閉鎖部材には開放位置からばね力に抗して閉鎖位置に移動可能として圧力が負荷可能となる。
【００１７】
更に，簡単な実施形態においては，閉鎖部材が円筒形状ガイド開口に変位可能として配置した閉鎖スライダであり，ガイド開口の円筒形状壁には，軸線方向に延在する１本又は複数本の制御溝が形成される。
【００１８】
閉鎖スライダを鉢状として形成し，半径方向に回周する流入縁部を制動ピストンの環状弁座に装着可能とするならば，閉鎖スライダの良好な案内と共に重量及び構造スペースが節約される。
【００１９】
閉鎖スライダに作用するばね力は，制動ピストンに支持すると共に閉鎖スライダの内部に突出する圧縮ばねにより生み出される。
【００２０】
更に，軸線方向に貫通するノズル孔を閉鎖部材内に配置することができる。
【００２１】
作動ピストンが制動ピストンに激しく突き当たるのを回避するために，制動ピストンには弾性的に変形可能なバッファ素子を通じて作動ピストンが変位可能として衝突しうるのが好適である。
【００２２】
弾性バッファ素子を制動ピストンの鉢状凹所に配置し，その凹所の開口が作動ピストンに向いているならば，場所的な節約及び容易な取り付けが可能となる。
【００２３】
押出し運動を標準的に減衰するために，シリンダの内壁には最終減衰領域とピストンロッド側端部との間に延在する１本又は複数本の制動溝を容易に配置することができる。
【００２４】
制動溝の断面積が全長に亙って異なる推移を示すことにより，押出し経路に沿って異なる減衰の推移が実現する。
【００２５】
制動溝の断面積が最終減衰領域とは反対側の端部で低減するならば，押出し運動の最後には端末位置における激突を回避するために減衰の上昇が実現する。
【００２６】
押込み運動における大きな流れ断面積の開放及び押出し運動におけるこの流れ断面積の遮断のために，半径方向の外側で回周する外周面でシリンダの内壁に接触するシールリングにより作動ピストンを包囲することが可能である。シールリングは半径方向で内側の環状領域にアンダーフロー可能であり，２個のストッパ間で軸線方向遊びにより移動可能とする。制動ピストンに近い方の作動ピストンのストッパにシールリングが接触するとシリンダの内壁に対してシールされる。
【００２７】
押出し運動においても最終減衰領域で大きな貫流断面積を容易に維持するために，作動ピストンが軸線方向で制動ピストンに接触すると，制動ピストンに近い方の作動ピストンのストッパから作動ピストンが離間変位する。
【００２８】
更に，制動ピストンは作動ピストンに向けた軸線方向ストッパを具えることができる。このストッパを通じて，制動ピストンに近い方の作動ピストンのストッパからシールリングが離間変位可能となる。
【００２９】
別の可能性として，シールリングは制動ピストンに向けて突出する軸線方向ストッパを具え，このストッパが制動ピストンに軸線方向で接触可能とすることができる。
【００３０】
シールリングには軸線方向に磁化した第１永久磁石を配置することも可能である。制動ピストンに配置した別の永久磁石は軸線方向で第１永久磁石に対置する。第１永久磁石と別の永久磁石との同一極は互いに対向する。
【００３１】
制動ピストンが少なくとも作動ピストンの近傍に位置する限り，互いに反発する永久磁石の同一極は，制動ピストンに近い方の作動ピストンのストッパからシールリングを取り外させる。
【００３２】
最終減衰領域における押出し運動に際して部分室から第１作動室への大きな貫流断面積を開放するために，作動ピストン内にバルブを配置することができる。このバルブは，作動ピストンが軸線方向で制動ピストンに接触すると，部分室を第１作動室と接続するように開放する。
【００３３】
バルブはシートバルブとし，そのバルブ部材は制動ピストンを通じて弁座から離間変位可能とする。
【００３４】
作動ピストンは，代替的にピストンロッドに固定した第１ピストン部分から構成することができる。このピストン部分は，第１ピストン部分に対して同軸的に変位可能とし，シールリングを担持する環状の第２ピストン部分により包囲される。遊びを有する第１ピストン部分のシリンダ部分を包囲する環状シール部材は，半径方向の内側領域では第２ピストン部分に突出する第１ピストン部分の環状肩部に軸線方向で密接可能であると共に，オーバーフロー可能な半径方向の外側領域では第１ピストン部分に突出する第２ピストン部分の環状肩部に軸線方向で密接可能である。第２ピストン部分の環状肩部は，軸線方向で制動ピストンに接触すると，部分室を第１作動室と接続するように第１ピストン部分の環状肩部から離れることができる。
【発明を実施するための最良の形態】
【００３５】
以下，本発明を図示の好適な実施形態について更に具体的に説明する。
【００３６】
図１に示すガス・スプリングは一端部の閉鎖されたシリンダ１を具え，シリンダ１内には加圧ガスが充填されている。
【００３７】
シリンダ１の内部スペースは，作動ピストン２により第１作動室３と第２作動室４とに区分されている。作動ピストン２の一側にピストンロッド６を固定する。ピストンロッド６は，シリンダ１の閉鎖端部とは反対側の端部でシール兼ガイドパッケージ７を貫通し，シール下でシリンダ１から突出している。
【００３８】
シリンダ１は，例えば，その閉鎖端部が車両本体の固定部（図示せず）に連結され，シリンダ１から突出するピストンロッド６の端部が，ヒンジ９を中心として旋回可能なボンネット，テールゲート等の開閉部材８に対し，ヒンジ９から離間した位置で連結される構成とする（図１１参照）。
【００３９】
ピストン２には，外周面でシリンダ１の内壁１０に接触するシールリング１１が装着され，シールリング１１はシリンダ１の内壁１０に対して低い摩擦抵抗値を有する。シールリング１１は，図示例では矩形断面リングで構成されているが，所要に応じてリップシール又はＯ−リング等の別のシールリングにより同等の機能を発現させることもできる。
【００４０】
シールリング１１は，その内周環状領域に沿ってガスの流れ（アンダーフロー）を許容するものとし，ピストンロッド６に近接する側のストッパ１２と，ピストンロッド６から離れた側のストッパ１３との間の軸線方向間隔に応じて軸線方向に可動とされている。
【００４１】
シールリング１１がストッパ１３に当接させると，作動ピストン２がシリンダ１の内壁１０に対してシールされる。シールリング１１をストッパ１３から離間させると，第２作動室４から第１作動室３に向かうガスの流れが許容される。
【００４２】
大きな流れ抵抗を回避するため，ストッパ１２には大断面の軸線方向流路１４が設けられている。
【００４３】
第２作動室４は，制動ピストン５により作動ピストン２側の部分室１５と，作動ピストン５から離れた側の減衰室１６とに区分されている。制動ピストン５は，端末減衰領域１７を形成するシリンダ１の閉鎖端部領域内で変位可能とされている。
【００４４】
制動ピストン５は，シリンダ１の閉鎖端部で支持部分１８により支持されたばね１９により，僅かな力で作動ピストン２に向けて附勢されており，端末減衰領域１７内で作動ピストン２に対して弾性的に接触する。端末減衰領域１７の外側では作動ピストン２が制動ピストン５から離間している。
【００４５】
制動ピストン５外周面には，円周方向に延在する環状溝２０が設けられている。さらに，環状溝２０内には，その底部２２に対して軸線方向及び半径方向に遊びを有する制動シールリング２１が配置されている。
【００４６】
したがって，制動シールリング２１は，その内周面に沿うガスの流れを許容可能である。
【００４７】
制動シールリング２１の外周面は，シリンダ１の内壁に接触する。環状溝２０は，減衰室１６に近い側の環状溝２０の側壁２４に設けた切欠き２３を介して減衰室１６と接続する。
【００４８】
作動ピストン２に近い側の環状溝２０の側壁２４に対して制動シールリング２１が軸線方向から接触すると，制動ピストン５がシリンダ１の内壁１０に対してシールされる。
【００４９】
シリンダ１の内壁１０には，端末減衰領域１７に亙って延在する小断面の制動溝２７が形成されている。
【００５０】
端末減衰領域１７とシリンダ１のピストンロッド側端部との間で，制動溝２６が内壁１０に形成されている。制動溝２６は制動溝２７よりも大断面とされており，図示は省略したが，端末減衰領域１７とは反対側の端部に向けて断面積が漸減する。
【００５１】
制動ピストン５は，軸線方向で作動ピストン２に向けて突出する環状突部２８を具える。制動ピストン５が作動ピストン２に接触すると，環状突部２８がシールリング１１をストッパ１３から離間させるため，シールリング１１の内周に沿ってガスが実質的に無抵抗で部分室１５から第１作動室３に流入する。
【００５２】
制動ピストン５内には，例えば鉢状の軸線方向凹所２９が形成されている。凹所２９は，その開口が作動ピストン２に向けられている。凹所２９内には，ほぼ球状の弾性変形可能なバッファ素子３０が収められている。バッファ素子３０は，一部が凹所２９の開口から軸線方向に突出する。
【００５３】
作動ピストン２と制御ピストン５が互いに接近する方向に変位すると，先ずバッファ素子１０が弾性変形し，それから作動ピストン２と制動ピストン５が互いに接触する。
【００５４】
開閉部材８を閉鎖すると，開閉部材８は図１１に示した下側の位置を占める。この位置では，ピストンロッド６が制動ピストン５をシリンダ１の閉鎖端部に最も近い位置に保持する。
【００５５】
開閉部材８のロック（図示せず）を解除すると，ピストンロッド６とは反対側でより大きな受圧面を有する作動ピストン２が，ガス圧力により押し出し方向に移動する。その際，制動ピストン５がばね１９により先ず作動ピストン２との接触状態を維持するため，突部２８はシールリング１１をストッパ１３から離間した状態で保持する。制動溝２６内でシールリング１１に沿うガスの流れが許容されるので，ガスは第１作動室３から部分室１５内に流入する。作動ピストン２は減衰されることなくピストンロッド６の押し出し方向に変位する。
【００５６】
上記の第１行程Ｉは，端末減衰領域１７に対応するものである。第１行程Ｉにおいて，制動ピストン５は作動ピストン２と共に変位する。
【００５７】
制動シールリング２１が側壁２４に接触するため，制動シールリング２１及び制動溝２７に沿うガスの流れが許容され，ガスは更に支障なく部分質１５から減衰室１６に流入する。
【００５８】
制動ピストン５が端末減衰領域１７のピストン側端部に達すると，制動ピストン５は停止する。作動ピストン２が更に変位すると，突部２８がシールリング１１から離間してストッパ１３に接触するため，シールリング１１に沿うガスの流れが阻止される。
【００５９】
第２行程ＩＩでは，押し出しに続いて標準的な減衰が行われる。その際，ガスはもっぱら制動溝２６を経て第１作動室３から部分室１５内に流入する。
【００６０】
断面積が漸減する制御溝２６の端部では，第３行程IIIにおける緩やかな減衰作用が発現される。
【００６１】
開閉部材８を最大開放位置から下方の閉鎖位置に向けて手動変位させると，第４行程ＩＶ及び第５行程Ｖでは知覚しうる減衰が生じない。シールリング１１が変位してストッパ１２に接触し，シールリング１１に沿うガスの流れが許容され，ガスが部分室１５から第１作動室３に向けて流入するからである。
【００６２】
ピストン２が制動ピストン５に接触すると，制動ピストンも進入方向に変位する。その際，制動シールリング２１が環状溝２０の側壁２５に接触し，制動シールリング２１に沿うガスの流れを阻止する。減衰室１６から部分室１５又は第１作動室３に向かうガスの流れが制動溝２７を通じてのみ可能であるため，ロック位置に達する直前の第６行程ＶＩでは減衰作用が発現される。
【００６３】
図３に示した実施形態では，作動ピストン２が環状ピストン部分３１で構成されている。ピストン部分３１の外周面には，シールリング１１を装着するための環状溝が，片側で部分室１５に対して開放する形状として形成されている。ストッパ１３は，切欠き３３を有する環状ディスク３２で構成されている。ピストン部分３１と環状ディスク３２とは，ピストンロッド６の段付き端部における小径部分上に配置され，カシメ等により固定されている。ストッパ１２内に半径方向溝６０を形成する。シールリング１１がストッパ１２に接触すると，第１作動室３は半径方向溝６０を通じて部分室１５と接続する。
【００６４】
図４に示す実施形態は，溝６０を除いて図３に示した実施例の構造と同一である。溝６０の代わりにノズル３４をピストン部分３１に形成する。ノズル３４は，環状溝の底部領域を第１作動室３に接続する。
【００６５】
図５及び図６に示す制動ピストン５”は，同軸的な鉢状のガイド開口２５を具える。その開口２５を減衰室１６に向けると共に，同様に鉢状とする閉鎖スライダ３６を変位可能として開口２５内に配置する。ガイド開口３５は，その底部における開口部３７を通じて部分室１５と接続する。
【００６６】
ガイド開口３５の円筒形状壁には，軸線方向に延在して減衰室１６に連通する制御溝３８を形成する。
【００６７】
圧縮ばね３９をガイド開口３５の底部に支持すると共に，環状の流入縁部４０をガイド開口３５の底部に向けた閉鎖スライダ３６に対して附勢する。
【００６８】
ガイド開口３５の底部は段付きとする。半径方向外側の段は軸線方向に向けた環状肩部４１を形成する。閉鎖スライダ３６が減衰室１６の圧力により圧縮ばね３９の力に抗して挿入されると，流入縁部４０が環状肩部４１に接触する。減衰室１６の接続は，制御溝３８，ガイド開口３５及び開口３７を通じて部分室１５に対して遮断される。
【００６９】
したがって，閉鎖スライダ３６の底部に同軸的に形成したノズル孔４２を通じて，ごく少量のガスだけが通過可能となる。
【００７０】
図１に示すシールリング１１をストッパ１３から離間させる突部２８の代わりに，図７に示すように，作動ピストン２で部分室１５から第１作動室３までの通路４４内にシートバルブ４３を配置することができる。その弁体４５は，制動ピストン５が作動ピストン２に接触すると，制動ピストン５を通じて弁座４６から取り外される。
【００７１】
そのような機能に係る別の実施形態を図８に示した。本実施形態では，作動ピストン２’が，ピストンロッド６に固定された第１ピストン部分４７で構成されている。第１ピストン部分４７は，第１ピストン部分４７に向けて同軸的に変位可能な環状の第２ピストン部分４８により包囲される。第２ピストン部分４８はシールリング１１も担持する。第１ピストン部分４７における第２ピストン部分４８の軸線方向変位量は，ピストンロッド６上に配置した２個の当接ディスク４９，５０により限定される。同時に当接ディスク４９はシールリング１１のためのストッパ１２を形成する。
【００７２】
第１ピストン部分４７のシリンダ部分５１は，遊びをもって環状シール５２で包囲される。この環状シール５２は，半径方向内側領域の一側で第２ピストン部分４８に突出する第１ピストン部分４７の環状肩部５３に軸線方向で密着可能とする。
【００７３】
半径方向内側領域の別の側では，オーバーフロー可能なシール５２の半径方向外側領域が，第１ピストン部分４７に突出する第２ピストン部分４８の環状肩部５４に軸線方向で密接可能となる。
【００７４】
端末減衰領域１７の外側で作動ピストン２’がストローク運動を行うと，第２ピストン部分４８は第１ピストン部分４７に対して相対的に部分室１５の方向に変位する。それにより，両環状肩部５３，５４はシール５２に接触すると共に，シール５２をアンダーフロー及びオーバーフロー可能とする部分室１５から第１作動室３までの接続を遮断する。
【００７５】
第２ピストン部分４８の環状付加部材５５は，軸線方向で制動ピストン５に向けて突出し，端末減衰領域１７では制動ピストン５が軸線方向で接触することにより，第２ピストン部分４８は第１ピストン部分４７に対して相対的に第１作動室３の方向に変位する。したがって，環状肩部５３，５４がシール５２から離間し，第１作動室３から部分室１５に向かう流路を開放する。
【００７６】
図９に示す実施形態において，図１の実施例におけるとは逆に，制動ピストン５の突部２８の代わりにシールリング１１に制動ピストン５”に向けて突出する軸線方向ストッパ５６を配置する。このストッパ５６は軸線方向で制動ピストン５”’に接触可能であると共に，ストッパ１３から離間変位可能となる。
【００７７】
図１０に示した別の実施形態においては，軸線方向に磁化された第１永久磁石５７がシールリング１１”に配置される。制動ピストン５”に設けられた第２永久磁石５８は，第１永久磁石５７に対して軸線方向で対向配置されている。
【００７８】
ストッパ１３は，永久磁石５７，５８の磁場に影響を及ぼさない材料からなる当接ディスク５９で構成する。
【００７９】
永久磁石５７，５８の互いに対向する磁極の極性が同一であれば，永久磁石５７，５８は互いに反発する。端末減衰領域１７において，作動ピストン２と制動ピストン５””とが隣接すると，永久磁石５７，５８は互いに近接する。その結果，シールリング１１”が当接ディスク５９から離れて開放位置へ移動する。
【図面の簡単な説明】
【００８０】
【図１】本発明に係るガス・スプリングの一実施形態を示す縦断面図である。
【図２】図１に示したシリンダの端末減衰領域を示す断面図である。
【図３】作動ピストンの第２実施形態を示す断面図である。
【図４】作動ピストンの第３実施形態を示す断面図である。
【図５】制動ピストンの第４実施形態を低速作動状態で示す断面図である。
【図６】図５に示した制動ピストンを高速作動状態で示す断面図である。
【図７】作動ピストン及び制動ピストンの第２実施形態を示す断面図である。
【図８】作動ピストン及び制動ピストンの第３実施形態を示す断面図である。
【図９】作動ピストン及び制動ピストンの第４実施形態を示す断面図である。
【図１０】作動ピストン及び制動ピストンの第５実施形態を示す断面図である。
【図１１】ガス・スプリングにより駆動される車両用開閉部材の移動軌跡を示す略線図である。
【符号の説明】
【００８１】
１  シリンダ
２，２’作動ピストン
３  第１作動室
４  第２作動室
５，５’，５”，５'”，５””  制動ピストン
６  ピストンロッド
７  シール及びガイドパッケージ
８  開閉部材
９  ヒンジ
１０  内壁
１１，１１’，１１”  シールリング
１２，１３  ストッパ
１４  ダクト
１５  部分室
１６  減衰室
１７  最終減衰室
１８  支持部分
１９  ばね
２０  環状溝
２１  制動シールリング
２２  底部
２３  切欠き
２４，２５  側壁
２６  制動溝
２７  制動溝
２８  ストッパ
２９  凹所
３０  バッファ素子
３１  ピストン部分
３２  環状ディスク
３３  切欠き
３４  ノズル
３５  ガイド開口
３６  閉鎖スライダ
３７  開口
３８  制御溝
３９  圧縮ばね
４０  流入縁部
４１  環状肩部
４２  ノズル孔
４３  シートバルブ
４４  通路
４５  弁体
４６  弁座
４７  第１ピストン部分
４８  第２ピストン部分
４９，５０  当接ディスク
５１  シリンダ部分
５２  シール
５３，５４  環状肩部
５５  環状付加部材
５６  ストッパ
５７  第１永久磁石
５８  第２永久磁石
５９  当接ディスク
６０  溝
【図１】
2006046660.tif 000003
【図２】
2006046660.tif 000004
【図３】
2006046660.tif 000005
【図４】
2006046660.tif 000006
【図５】
2006046660.tif 000007
【図６】
2006046660.tif 000008
【図７】
2006046660.tif 000009
【図８】
2006046660.tif 000010
【図９】
2006046660.tif 000011
【図１０】
2006046660.tif 000012
【図１１】
2006046660.tif 000013